(57)【特許請求の範囲】
【請求項１】
前方に設けられディスクが挿入される挿入口と、クランプディスクを支持するアームプレートと、
挿入されたディスクによって揺動するディスク検知レバーと、該ディスク検知レバーに押されて移動すると共に、ロック部を備えたロックスライダーと、
前記ロック部により直接ロックされる被ロック部を備え、前記ディスクの挿入方向に略直交し且つディスクの中心から略対称に離れた位置に該ディスクが当接する一対のストッパピンが設けられ大径ディスクの押圧力で移動する１つの切換スライダーと、
前記ロックスライダーを付勢して、前記ロック部と前記被ロック部とをロックさせるロックスライダースプリングと、
該切換スライダーに設けられた第１の係合部に嵌合するカム溝と前記アームプレートに設けられたガイド溝に嵌合する第２の係合部とを備えディスクが所定位置まで搬送されたことを検知するディスクエンド検知レバーと、
該ディスクエンド検知レバーによって作動させられ、ディスクが所定位置に至ったとことを他の機構に伝達するトリガーレバーと、
該トリガーレバーと前記ディスクエンド検知レバーの間にあって、前記ディスクエンド検知レバーの移動に伴なって回動するリンクレバーとからなり、
前記ディスクエンド検知レバーは、
小径ディスクまたは切換スライダーに押圧されて揺動するものであり、
小径ディスクが挿入されたときは、いかなるときにも、該小径ディスクが前記切換スライダーに当接する前には、前記ロックスライダーが前記ロックスライダースプリングの付勢を受け前記切換スライダーをロックする位置へ移動して、該切換スライダーが移動しないようにロックすることにより、前記第１の係合部を中心に回転して前記リンクレバーを回動すると共に、
大径ディスクが挿入されたときは、前記ディスク検知レバーが前記ロックスライダーを押圧して前記切換スライダーとのロックを解除し、その状態で、該大径ディスクが前記切換スライダーを後方に押圧することにより該切換スライダーが後方に移動し、前記第１の係合部が前記カム溝に沿って移動し、前記第２の係合部が前記ガイド溝に沿って移動した後、前記第２の係合部を中心に回転して前記リンクレバーを回動し、前記リンクレバーが前記トリガーレバーを作動することを特徴とするディスクプレーヤのディスク搬送装置。
【発明の詳細な説明】
【０００１】
【発明の属する技術分野】
本発明は、コンパクトディスク（ＣＤ）のためのディスクプレーヤーにおいて、ディスクプレーヤ内へのディスクのローディング、及びそのイジェクトを行うためのディスク搬送装置に関し、特に、８ｃｍＣＤと１２ｃｍＣＤのディスクを使用するディスクプレーヤーにおいて、ローディング後のディスクの各種駆動を適切な時期に行うため、各ディスクのディスクエンドを簡単な構造で確実に検出することができるようにしたディスクプレーヤーのディスクエンド検知装置に関する。
【０００２】
【従来の技術】
コンパクトディスク（ＣＤ）のためのディスクプレーヤーにおいて、特に車両搭載用として１ＤＩＮの型にコンパクト化したディスクプレーヤーは、フロントローディング形式を採用しており、このようなディスクプレーヤーにおいても、小径の８ｃｍＣＤと大径の１２ｃｍＣＤの両ディスクを使用することができるようにしたものが開発され、使用されている。このようなディスクプレーヤーにおいて、ディスクプレーヤー内へのディスクのローディング時には、使用者がディスクの挿入口から所定量挿入すると、ディスク検知手段によりディスクの挿入が検知され、挿入口部分に設けた上下２個の搬送ローラにより、あるいは下方の１個の搬送ローラが上方のプレート側に移動してディスクを挟み、その搬送ローラの搬入方向の回転によりディスクをターンテーブル上に搬送し、その後下側の搬送ローラを下方に待避させる。次いでアームクランプを作動してディスクの中央を上方から挟み、モータを駆動してターンテーブルを回転しディスクを再生するようにしている。
【０００３】
また、上記のようにローディングされたディスクのイジェクト時には、ディスク駆動モータが作動しているときはそれを停止し、クランプアームを上げてディスクのクランプを解放した後、下方に待避していた下側の搬送ローラを上昇させ、上側の搬送ローラまたはプレートの間にディスクを挟み、搬送ローラをディスクの排出方向に回転させ、ディスクの端部が挿入口から所定量突出させた状態でその駆動を停止し、突出したＣＤを使用者が取り出すようにしている。
【０００４】
このような８ｃｍＣＤと１２ｃｍＣＤの両方のディスクを使用できるようにしたディスクプレーヤーにおいて、いずれのディスクをローディングする際にも、ディスクが完全にローディングされたときに上記のようなアームクランプの作動、搬送ローラの降下、モータの駆動等を行わなければならない。そのためディスクが完全にローディングされたことを検出し、次の作動を行うための手段が必要となるが、その手段としては複数の光学的な検出手段を用い、その検出出力で各種の駆動制御を行うことも提案されている。しかしながら、このような検出手段を設け、各種の駆動制御機構を装備するとディスクプレーヤーが高価なものとならざるを得ない。
【０００５】
その対策として、ローディングされるディスクの縁にレバーを当接するようにし、レバーの回動位置に応じて両ディスクのいずれかを判別すると共に、そのレバー機構に連動する機構によって次に続く上記各種の作動を連動させることが提案されている。その一つとして、特開平６−４４６６０号公報に示されたディスクローディング装置がある。この装置においては、図２４に示すように、搬送ローラ２００によって搬送されるディスク２０１の大きさに応じてフロントアーム２０２の揺動を変化させるようにし、１２ｃｍＣＤのときはフロントアーム２０２が揺動することによって、その先端でロックアーム２０３のピン２０４がストッパアーム２０５のカム溝２０６から外れ、ストッパアーム２０５の回動が可能になるようにし、それによりストッパアーム２０５によるディスクストッパ２０７への位置規制を解除し、１２ｃｍＣＤがディスクストッパ２０７を後方に押し出し、これを規制しているストッパアーム２０５を時計方向に回転させる。さらにディスクが挿入されると、ストッパアーム２０５のカム溝２０６の手前側にロックアームのピン２０４が入り込み、ロックする。そのため、ストッパアーム２０５のみの回転運動から、ロックアーム２０３も回転をおこない、それによりラックギヤ２０８を作動させ、シフトプレートを駆動する等により各種作動を連動するようにしている。
【０００６】
また、８ｃｍＣＤをローディングするときには、その径が小さいのでフロントアーム２０２は揺動することがなく、その先端でロックアーム２０３とストッパアーム２０５とはロックされた状態のまま保持される。更にディスクが挿入されると、ストッパアーム２０５と同期してロックアーム２０３が時計方向に回転し、ラックギヤ２０８を作動させ、シフトプレートを駆動する等により各種作動を連動するようにしている。
【０００７】
【発明が解決しようとする課題】
上記のような装置を用いると、光学的な検出装置等を用いる必要が無くなり、安価なものとなる。しかしながら、上記装置においては、ディスクプレーヤー内部の片側の奥に、フロントアームの操作部からストッパアーム２０５，ロックアーム２０３、ディスクストップ２０７等のほとんどの機構を集中させている。そのため、この部分の構造がきわめて複雑とならざるを得ず、その組立が困難となり、メンテナンスが困難となるほか、この部分の厚さも厚いものとならざるを得ない。また、フロントアームをディスクプレーヤー内において入口側からディスクの挿入端部まで長く配置しなければならず大型のものとなる欠点がある。
【０００８】
したがって、本発明は、８ｃｍＣＤと１２ｃｍＣＤを使用できるディスクプレーヤーにおいて、ディスクエンドを検知する装置を他の機構となるべく係わらせず、単独で作用するように配置し、全体を薄く構成することができるようにし、また、構造を簡素化することにより軽量で組立が容易で、且つ確実にディスクエンドを検出することができ、またメンテナンスも容易なディスクプレーヤーのディスクエンド検知装置を提供することを目的とする。
【０００９】
【課題を解決するための手段】
本発明は、上記課題を解決するため、前方に設けられディスクが挿入される挿入口と、クランプディスクを支持するアームプレートと、
挿入されたディスクによって揺動するディスク検知レバーと、該ディスク検知レバーに押されて移動すると共に、ロック部を備えたロックスライダーと、
前記ロック部により直接ロックされる被ロック部を備え、前記ディスクの挿入方向に略直交し且つディスクの中心から略対称に離れた位置に該ディスクが当接する一対のストッパピンが設けられ大径ディスクの押圧力で移動する１つの切換スライダーと、
前記ロックスライダーを付勢して、前記ロック部と前記被ロック部とをロックさせるロックスライダースプリングと、
該切換スライダーに設けられた第１の係合部に嵌合するカム溝と前記アームプレートに設けられたガイド溝に嵌合する第２の係合部とを備えディスクが所定位置まで搬送されたことを検知するディスクエンド検知レバーと、
該ディスクエンド検知レバーによって作動させられ、ディスクが所定位置に至ったとことを他の機構に伝達するトリガーレバーと、
該トリガーレバーと前記ディスクエンド検知レバーの間にあって、前記ディスクエンド検知レバーの移動に伴なって回動するリンクレバーとからなり、
前記ディスクエンド検知レバーは、
小径ディスクまたは切換スライダーに押圧されて揺動するものであり、
小径ディスクが挿入されたときは、いかなるときにも、該小径ディスクが前記切換スライダーに当接する前には、前記ロックスライダーが前記ロックスライダースプリングの付勢を受け前記切換スライダーをロックする位置へ移動して、該切換スライダーが移動しないようにロックすることにより、前記第１の係合部を中心に回転して前記リンクレバーを回動すると共に、
大径ディスクが挿入されたときは、前記ディスク検知レバーが前記ロックスライダーを押圧して前記切換スライダーとのロックを解除し、その状態で、該大径ディスクが前記切換スライダーを後方に押圧することにより該切換スライダーが後方に移動し、前記第１の係合部が前記カム溝に沿って移動し、前記第２の係合部が前記ガイド溝に沿って移動した後、前記第２の係合部を中心に回転して前記リンクレバーを回動し、前記リンクレバーが前記トリガーレバーを作動することを特徴とするディスクプレーヤのディスク搬送装置を構成したものである。
【００１０】
また、前記ロックスライダーと、前記切換スライダーと、前記ディスクエンド検知レバーとをディスクを押さえるクランパを支持して回動するアームクランプに設けたものであり、また、更に、切換スライダーが大径ディスクの押圧力で移動した後、その切換スライダーを移動前の状態に戻すレバーリターンも前記アームクランプに設けたものであり、また、前記ディスクエンド検知レバーと前記レバーリターンとを前記アームクランプの両側部に対向して配置したものであり、また、前記トリガーレバー作動端と前記カム溝との間に前記第２の係合部を配置したものであり、また、前記のカム溝は、前記ディスクエンド検知レバーの軸線方向に延びる第１カム溝と、第１カム溝に続き該軸線方向から傾斜した方向に延びる第２カム溝とからなるものであり、また、前記ガイド溝は、前記カム溝端部を中心とする円弧状の第１ガイド溝と、第１ガイド溝に続きリンクレバー作動端を中心とする円弧状の第２ガイド溝とからなものであり、また、ディスクの最終挿入時に、リンクレバーとトリガーレバーとを離し、ディスクエンド検知レバーのディスク検知ピンをディスクの縁から退避させたものである。
【００１１】
また、トリガーレバーの移動により、クラッチを介して付勢されるものであってディスクの搬送を行う搬送ローラへ、あるいはアームクランプへのいずれか一方へ駆動力伝達の切替を行うラックに設けられたラックのロック部への保持を解除するものであり、また、ラックのロック部を、トリガーレバーを備えたトリガー回転子に設けたものであり、クラッチは、ピニオンを備えモータで駆動される駆動ギアと、ピニオンカバーと、両者を摩擦圧接するスプリングとにより構成したものであり、ピニオンカバーには、ラックの両端に設けた突起に係合するラック引込爪を設けたものであり、スプリングは、ピニオン内部のスプリング収納部に設けたものであり、また、駆動ギアと、ピニオンカバーと、スプリングとを、ベースから突出したクラッチ軸に嵌合したものであり、また、駆動ギアと、ピニオンカバーと、スプリングとを、ベースから突出したクラッチ軸に嵌合し、クラッチ軸の軸穴に抜け止めシャフトを挿入することにより固定したものであり、また、ラックは内部機構連動用のロックレバーに摺動自在に固定したものである。
【００１２】
【発明の実施の形態】
本発明の実施例を図面に沿って説明する。図１は本発明のディスクプレーヤーのディスク搬送装置を適用したいわゆる１ＤＩＮタイプのＣＤプレーヤーであり、その外側を構成する部材を大別すると、図に示すように、上面を開放した箱形のベースシャーシ１と、このベースシャーシ１の開放した上面の前方（なお、ディスクプレーヤのディスクが挿入される側を「前方」という、以下同様。）を覆うように設けたトップシャーシ２と、ベースシャーシ１の上面の後方を覆うように、ベースシャーシ１の内部部材に対して左右の回動部３により回動自在に設けたアームクランプ４とを備えている。
【００１３】
トップシャーシ２は、ベースシャーシ１の両側壁５、５の外側に一部重なるように設けた側板６、６を両側に備え、また、この側板６、６の部分に位置する左右の開口７、７と、トップシャーシ２の前板８の左右端部に設けた開口１０、１０とを備え、更に、左右に張り出すようにねじ止め部１１、１１を備えるとともに、左右前方にはローラアーム軸止め突起１２、１２を備えている。
【００１４】
それに対してベースシャーシ１には、トップシャーシ２の前記開口７、７，１０，１０に対向して上方に延びる左右の突起１３、１３と前方左右の突起１４、１４を備え、また、トップシャーシ２のねじ止め部１１、１１に対向して左右に張り出すようにねじ止め受け部１５、１５を備えるとともに、ローラ軸止め突起１１、１１と嵌合するようにローラアーム軸１６を軸支する軸受け部１７、１７に連通する嵌合溝１８、１８を備えている。それにより、ベースシャーシ１に対してトップシャーシ２を上方から被せる際、ベースシャーシ１の側壁５、５にトップシャーシ２の側板６、６を重ね、ベースシャーシ１の突起１３、１３，１４，１４を各々トップシャーシ２の開口７、７，１０，１０に嵌合し、ベースシャーシ１の嵌合溝１８、１８にトップシャーシ２のローラアーム軸止め突起１２、１２を嵌合することにより、ベースシャーシ１とトップシャーシ２は正確に位置決めされ、ベースシャーシ１のねじ止め受け部１５、１５のねじ穴とトップシャーシ２のねじ通孔２０、２０とが一致し、ここにねじ４９をねじ込むことにより固定され、両者は一体化する。
【００１５】
上記のようなトップシャーシ２をベースシャーシ１から取り外して、更に、後述するようにカバー裏板２１をベースシャーシ１から取り外して各々裏返した状態を図２に示す。したがって、図２においては、図１とは前後方向は同じであるが、左右が逆になって示されている。カバー裏板２１は前方に突出した左右の係止突起２２、２２、中央部には図中下方に突出する左右の係合突起２３，２３，両側部近傍にも図中下方に突出する左右の係合突起２４、２４，更に、後端部中心には後方且つ図中下方に突出する係合突起２５を備えている。上記の各図中下方に延びる係合突起２３，２３，２４，２４，２５は各々その先端は左右のいずれかの方向に延び出ており、その延出部分で係合部を構成している。また、左右には前方に延びる弾性アーム２６、２６を備えており、各弾性アーム２６、２６の前端部には下方に係止部２７、２７を形成している。トップシャーシ２の前端両側部には、後に詳述する第１ディスク検知レバー２８，第２ディスク検知レバー２９の第１検知ロッド３０，第２検知ロッド３１の回動軌跡と略一致する曲縁部１９を備えている。カバー裏板２１の後方には、更に後方に延びる平面視略三角形上のアーム３２、３２が左右対称に延びており、その先端にはスプリング３３の両端部を固定している。また、中央表面には、両側部に近づくに従って次第に深くなる搬送ローラ受け溝３９が形成されている。
【００１６】
一方、トップシャーシ２には、前端縁両側に係止穴３４、３４を備え、前記係合突起２３，２３，２４、２４、２５に対向する位置に、カバー裏板側に延びるとともに、その先端に係合部を形成した係合突部３５、３５，３６，３６，３７を形成している。また、カバー裏板２１の両側の弾性アーム２６、２６に形成した係止部２７、２７に対向する位置に係止穴３８、３８を備えている。それにより、図２に示すようにトップカバー２を裏返しにした状態で、カバー裏板２１を図中上方からあてがい、カバー裏板２１を前方にずらすことにより、カバー裏板２１の係止突起２２，２２はトップシャーシ２の係止穴３４，３４に、また同様に係合突起２３，２３は係合突部３５，３５に、係合突起２４，２４は係合突部３６，３６に、係合突起２５は係合突部３７に各々係合し係止されるとともに、弾性アーム２６，２６の係止部２７，２７は係止穴３８，３８にその弾性力によって嵌入し抜け止めされる。
【００１７】
トップシャーシ２の裏側、即ち図２に示すトップシャーシ２の上側には、回転穴４０、４１を中心に回動する第１ディスク検知レバー２８と第２ディスク検知レバー２９とを備えており、回転穴４０，４１は、トップシャーシ２の素材を深絞り加工して形成した左右のボス４２、４３に嵌合する。それにより第１ディスク検知レバー２８は、ボス４２に嵌合する回転穴４０を中心に、前方に延びる第１前側レバー４４と後側に延びる第１後側レバー４５とを備え、第２ディスク検知レバー２９は、ボス４３に嵌合する回転穴４１を中心に、前方に延びる第２前側レバー４６と後側に延びる第２後側レバー４７とを備えている。
【００１８】
第１ディスク検知レバー２８の第１前側レバー４４の先端には、レバーに垂直に立設する第１検知ロッド３０を備え、第１前側レバー４４の基部４８の近傍にはガイド溝穴５０を形成している。第１ディスク検知レバー２８の回転穴４０を中心とする基部４８には、第１ディスク検知レバー２８の外側に扇形に形成された第１ガイド突起５１を備えるとともに、第１ディスク検知レバー２８の内側には扇形に形成されたガイド穴５２を備え、このガイド穴５２には、前記第１ガイド突起５１と同様に、且つ対称的に扇形に形成された第２ガイド突起５３を備えている。第１ディスク検知レバー２８の第１後側レバー４５の基部４８近傍外側には略Ｕ字型に延びるスプリング係止部５４を備え、第１後側レバー４５の端部には、図２に示すように第１ディスク検知レバー２８をトップシャーシ２に組み込み時にその先端がトップシャーシ２の後壁５５から大きく突出する押圧部５６を備えている。
【００１９】
第２ディスク検知レバー２９は上記第１ディスク検知レバー２８と略同様に形成され、その第２前側レバー４６の先端には、レバーに垂直に立設する第２検知ロッド３１を備えている。第２ディスク検知レバー２９の回転穴４１を中心とする基部６０には、第２ディスク検知レバー２９の外側に扇形に形成された第２ガイド突起６２を備えるとともに、第２ディスク検知レバー２９の内側には扇形に形成されたガイド穴６３を備え、このガイド穴６３には、前記第２ガイド突起６２と同様に、且つ対称的に扇形に形成された第２ガイド突起６４を備えている。第２ディスク検知レバー２９の第２後側レバー４７の基部６０近傍外側には略Ｕ字型に延びるスプリング係止部６５を備え、また、基部６０の近傍にはガイド溝穴６１を形成し、第２後側レバー４７の端部には、図２に示すように第２ディスク検知レバー２９をトップシャーシ２に組み込み時にその先端がトップシャーシ２の後壁５５からわずかに突出する程度に形成した突出部６６を備えている。
【００２０】
前記第１ディスク検知レバー２８と第２ディスク検知レバー２９とを連動するため、両者を連結するレバーリンク７０を備えている。レバーリンク７０は、その第１端部７１側に設けたリンク第１ボス７２と、その第２端部７３側に設けたリンク第２ボス７４を備え、また、第１端部７１側にはトップシャーシ２に設けたボス７５が摺動自在に嵌合する第１ガイド溝７６を備え、第２端部７３側にはトップシャーシ２に設けたボス７７が摺動自在に嵌合する第２ガイド溝７８を備えている。レバーリンク７０は略中間部で屈曲しており、それにより第１ディスク検知レバー２８側においては第１前側レバー４４側のガイド溝穴５０内にそのリンク第１ボス７２が嵌合し、第２ディスク検知レバー２９側においては第２後側レバー４７側のガイド溝穴６１内にそのリンク第２ボス７４が嵌合しているとともに、両端部近傍でトップシャーシ２のボス７５，７７と第１ガイド溝７６，第２ガイド溝７、８とが摺動自在に嵌合してレバーリンクはガイドされ、第１ディスク検知レバー２８と第２ディスク検知レバー２９の回動を連動している。
【００２１】
また、各レバーをトップシャーシに組み込んだときに図２に示す状態を維持するように、第１ディスク検知レバー２８のスプリング係止部５４と、トップシャーシ２に設けた第１スプリング掛部８０との間に第１レバースプリング８１を張設し、第２ディスク検知レバー２９のスプリング係止部６５と、トップシャーシ２に設けた第２スプリング掛部８２との間に第２レバースプリング８３を張設している。それにより、第１ディスク検知レバー２８の第１検知ロッド３０と、第２ディスク検知レバー２９の第２検知ロッド３１は互いに近接する方向に付勢され、各ロッドの位置は、前記カバー裏板２１の曲縁部１９の内側端部において各々その移動が止められている。上記第１検知ロッド３０と第２検知ロッド３１の間隔は、小径の８ｃｍディスクの直径よりは小さく設定され、ディスクがローディングされる際に、ディスクの外周に常にロッドが当接しているように、且つ、ロッドの移動に応じて検知スイッチをＯＮ−ＯＦＦできる様に、上記第１レバースプリング８１と第２レバースプリング８３のバネ力を調整してある。
【００２２】
アームクランプ４には、図１に示すように、アームクランプ４前方中央に、アームクランプ４の前方に突出するように、支持ブラケット８５を介してクランプディスク８６が揺動自在、且つ回転自在に支持されており、ディスクプレーヤにディスクを挿入していない状態においては、クランプディスク８６が回動部３を中心に上方に回動する方向に付勢されており、その回動は、図１に示すようにクランプディスク８６の先端上面が、前記カバー裏板２１のアーム３２に張設されたスプリング３３に当接して受け止められている。
【００２３】
アームクランプ４は、図１に示す組立状態から、前記トップシャーシ２を取り除いた後に、図示されない部材に設けたボス９，９に支持されている回動部３、３を、図中左方向に移動してボス９，９から外すことにより、ベースシャーシ１から取り外される。このように取り外されたアームクランプ４を裏返しにしてそのアームプレート部１００の裏面に取り付けられた部材を示したのが図３である。したがって、この図３においても、前記図２と同様に、図１に示す状態とは前後方向は同一で、左右方向が逆になって示されている。この図３から明らかなように、アームクランプ４の裏面には、回転支持部１０１により回動自在に支持されたレバーリターン１０２が設けられている。
【００２４】
レバーリターン１０２は、回転支持部１０１から後方且つアームクランプ４の第１側面１０３側に延びるスプリング受けレバー部１０４を備え、その先端に設けた二股状のスプリング受け部１０５には、反転スプリング１０６の一端が掛けられている。反転スプリング１０６はコイル状に捲回され、前記スプリング受け部１０５に掛けられた作用端９０に対する反対側の支持端９１は、アームクランプ４のアームプレート部１００の側縁近傍に設けた通孔１０７をその裏面側から貫通させ、図１に示すように、その表側に延び、折り曲げられて抜け止めされ、通孔１０７部分で回転自在に支持されている。
【００２５】
レバーリターン１０２には、前記スプリング受けレバー部１０４と反対側に延びると共に、その先端がアームクランプ４の中央、且つ図中後方側に鶴の首状に延びるスライダー付勢レバー部１０８を備えており、スライダー付勢レバー部１０８の先端には、図３に破線で示すように、切換スライダー１１０の裏面中央に設けたボス１１１を摺動自在に嵌入している長穴１１２を備えている。また、スライダー付勢レバー部の先端部とは逆方向に、アームプレート部１００の案内穴１１３を貫通して、アームプレート部１００の表側に屈曲して延びる押圧部１１４を備え、この押圧部１１４には、図１に示されるようにその一部がアームプレート１００の表面側に重なるガイド部１１５を形成している。
【００２６】
切換スライダー１１０は図３に示され、また図１に一部示されるように、アームプレート部１００の裏面に対向する面から、アームプレート部１００の前後方向に延びる図中５本のガイド孔を貫通して延びるガイドボスを備えている。上記ガイドボスのうち、その中心部には前記ボス１１１を挟んで前後方向に位置する２個の中心ガイドボス１１６，１１６を備え、この中心ガイドボス１１６，１１６はアームプレート部１００の中心位置に設けた中心ガイド孔１１７内に位置し、中心ガイド孔１１７に沿って摺動し案内される。この中心ガイドボス１１６を挟んで両側には内側ガイドボス１１８、１１８を備え、この内側ガイドボス１１８，１１８は、アームプレート部１００の中心ガイド孔１１７を挟んで両側に位置して前後方向に平行に設けた内側ガイド孔１２０，１２０を貫通してアームプレート部１００の表側に延び、図１に示すように、その先端は図中左側に屈曲して延び、アームプレート１００の表面と一部重なるように形成されている。また、この内側ガイドボス１１８，１１８の更に両側には外側ガイドボス１２１，１２１が前記内側ガイドボスと同様の構成で設けられ、この外側ガイドボス１２１，１２１は、アームプレート部１００の内側ガイド孔１２０，１２０の外側に位置して前後方向に平行に設けた外側ガイド孔１２２，１２２を貫通してアームプレート部１００の表側に延び、図１に示すように、その先端は図１中で左側の外側ガイドボス１２１はその表側において図中左側に屈曲して延び、図１中で右側の外側ガイドボス１２１は図中右側に屈曲して延び、各々アームプレート１００の表側と一部重なるように形成されている。切換スライダー１１０の前記各ボスが突出する面とは反対側の面には、図３に示すように、その両側にディスクが当接するストッパピン１２３を突設している。
【００２７】
アームクランプ４の表側には、図１に示すように、図中左右方向に延びるロックスライダー１２５を、図中左右に摺動自在に設けている。ロックスライダー１２５の図１中左側端部には押圧フランジ部１２６が裏面側に折曲されて形成されており、この押圧フランジ部１２６は、図１に示すようにアームクランプ４及びトップシャーシ２の組立状態において、また、ロックスライダー１２５の最も左側に位置している自由状態において、前記第１ディスク検知レバー２８の押圧部５６と所定の間隔を有して位置している。ロックスライダー１２５には図１中左側に第１ボス１１９が図１中裏面側に突出しており、また右側には第２ガイド長孔１２７が形成されており、第１ボス１１９はアームクランプ４のアームプレート１００前端部に設けた第１ガイド長孔１２８と嵌合し、第２ガイド長孔１２７はアームプレート部１００に設けた第２ボス１２９と嵌合し、それによりロックスライダー１２５は、アームプレート１００の表面において、図１中で左右に一直線上に移動するようにガイドされている。
【００２８】
ロックスライダー１２５の後縁部１３０の左右両側には、略Ｌ字型に突出するロック部１３１，１３１を備えており、このロック部１３１，１３１の図１中左側に折曲されている先端部１３２，１３２には傾斜面１３３，１３３を形成しており、後述するように、内側ガイドボス１１８のロック作用を行う。ロックスライダー１２５の略中央部には図１中裏面に突出するスプリング係止部１３４を備え、このスプリング係止部１３４は、図３に一部示されているように、アームクランプ４の前方において左右方向に延びるガイド孔１３５を貫通して延びている。このスプリング係止部１３４とアームクランプ４の裏面に突出するスプリング係止部１３６との間にはロックスライダースプリング１３７を張設しており、それによりロックスライダー１２５の自由状態において、このロックスライダー１２５を図１中左方向に付勢し、第１ガイド長孔１２８中において第１ボス１１９が図１中右端で当接し、第２ガイド長孔１２７中において第２ボス１２９が同様に右端で当接することによりその移動が止められている。また、ロックスライダー１２５の図１中右端には押圧突起１３８が形成されている。
【００２９】
一方、アームクランプ４の裏面には、図３に示すように、前記レバーリターン１０２と対向するようにディスクエンド検知レバー１５０を配置している。このディスクエンド検知レバー１５０には屈曲したカム溝１５１が形成され、このカム溝１５１には、切換スライダー１１０の前記各ボスと同じ方向に突出させたスライダーボス１５２が嵌合している。ディスクエンド検知レバー１５０の後端には、図３に示す切換スライダー１１０の位置において、後縁の切り欠き部１４９に位置する部分に、ディスク検知ピン１５３をストッパピン１２３と同様に突出させて設けている。ディスクエンド検知レバー１５０の先端部には駆動ピン１６０を前記ディスク検知ピン１５３と同じ側に突出しており、この駆動ピン１６０にはアームクランプ４に設けた回動支持部１６１を中心に回転するリンクレバー１６５の一端に設けた２又状のピン保持部１６６内に保持されている。ディスクエンド検知レバー１５０のカム溝１５１の先端部１６７と駆動ピン１６０の略中間には、駆動ピン１６０とは反対側に突出するレバーボス１６８を突出しており、このレバーボス１６８は、アームクランプ４のアームプレート部１００に設けたレバーボスガイド溝１７０内に嵌合している。
【００３０】
ディスクエンド検知レバー１５０に設けたカム溝１５１は、ディスクの挿入、排出時の各構成部品の作動を示す平面図として、８ｃｍＣＤの挿入開始状態を示す図９に示されるように（なお、この図９に示す作動状態は、図３に示される作動状態とは異なる。）、先端部１６７側から、このレバーの略軸線方向に延びる第１カム溝１５４，この第１カム溝１５４に連続してつながり、図９中水平方向に屈曲して延びる第２カム溝１５５、この第２カム溝１５５に連続してつながり、第１カム溝１５４と略同方向に延びる第３カム溝１５６からなっている。また、レバーボス１６８が嵌合するアームプレート部１００に設けたレバーボスガイド溝１７０は、図９におけるスライダーボス１５２を中心とする円弧状に形成された第１ガイド溝１７７と、この第１ガイド溝１７７の図中左端部分のガイド溝接続部１７８から後方に、駆動ピン１６０を中心に円弧状に延びる第２ガイド溝１７９とから構成されている。
【００３１】
なお、ディスクエンド検知レバー１５０における上記カム溝１５１とスライダーボス１５２、レバーボスガイド溝１７０とレバーボス１６８、ディスク検知ピン１５３，駆動ピン１６０の関連した作動は、後に詳述する。また、リンクレバー１６５は、前記ピン保持部１６６とは反対側に略Ｌ字型に形成されたトリガーレバー作動部１７１を備え、このトリガーレバー作動部１７１には図１及び図４等に示されているトリガーレバー１７２が、リンクレバー１６５の回転時に作動することができるように位置している。
【００３２】
ディスクエンド検知レバー１５０によって８ｃｍＣＤおよび１２ｃｍＣＤ各々が所定のローディング位置となったときに作動する、ディスククランプ等の連動作動の機構は図４〜図８に示される。この作動機構の特徴的な部分を斜視図として示す図４から明らかなように、リンクレバー１６５で作動されるトリガーレバー１７２は、ベースシャーシ１の側壁５７に突設された軸１８０を中心に回転するトリガー回転子１８１の第１アーム１８２に直角方向に突設されている。このトリガー回転子１８１には、図１に示されるベースシャーシ１の側壁５７に設けられガイド孔５８に案内されるロックレバー５９が設けられ、このロックレバー５９とトリガー回転子１８１の軸部との間の空間に、後述するトリガーラック１９０の第２突起１９３が嵌合している。トリガー回転子１８１にはさらに、スプリング係止突起１８３を備え、このスプリング係止突起１８３とベースシャーシに設けられた図示されない係止突起との間にリターンスプリング１８４を張設しており、それによりトリガー回転子１８１を常時図４中反時計方向に付勢している。
【００３３】
ベースシャーシ１の側壁５７に案内されて摺動できるようにスライダーロード６７が設けられ、このスライダーロード６７に設けたスライダーラック６８等により各種の機構を連動するようにしている。このスライダーラック６８には、トリガーラック１９０がスライダーロード６７と同一方向にわずかに移動できるように摺動自在に設けられている。トリガーラック１９０には、ラック部１９１と、その前方（ディスクの挿入側、以下同様）に第１突起１９２が設けられ、後方には前記第２突起１９３が設けられている。図４中第１突起１９２には、後述するクラッチ装置８７におけるクラッチホルダー８８のラック引込爪８９が近接して位置している。また、図４に示すローディング開始状態において、トリガーラック１９０の先端部は駆動ギア９２の周囲からわずかに離れており、噛み合っていない。
【００３４】
クラッチ装置８７は図５及び図６に示すように、合成樹脂をモールドして成型したベース９３に、クラッチ軸９４を突設している。このクラッチ軸９４の外周下方には段部９５が形成され、また中心部には軸穴９６が設けられている。この軸穴９６の下端には内方に向けて突設したシャフト固定爪９７を形成している。クラッチ軸９４には駆動ギア９２を回動自在に嵌合している。駆動ギア９２は周囲にギヤ部９８が形成され、中央部にはクラッチ軸９４を囲むようにピニオン９９を設け、このピニオン９９の内部にはスプリング収納部１３９を形成し、その内部に、一端がクラッチ軸の段部９５に、他端が駆動ギア９２の上端部に設けたスプリング受け部１４０で支持されているクラッチスプリング１４１を縮設している。また、駆動ギア９２のギア部９８とピニオン９９との間の表面にはギア摩擦面１４２が形成されている。この駆動ギア９２はその下部においてクラッチ軸９４の段部９５の外周で、また、上端部はスプリング受け部１４０で各々クラッチ軸９４に回転案内されている。
【００３５】
ピニオン９９の周囲には、クラッチホルダー８８がその上端支持部１４３でクラッチ軸９４に回転自在に案内されている。また、その上端支持部１４３の上部は、クラッチ軸９４の端部に固定した抜け止めシャフト１４４によりその抜け止めがなされており、上端支持部１４３の下面は駆動ギア９２のスプリング受け部１４０の上端面とは離れている。抜け止めシャフト１４４はその下端に外周が小さく形成された引掛段部１４５が形成され、それにより、クラッチ装置８７の組立時には、ベース９３のクラッチ軸９４にクラッチスプリング１４１を当て、駆動ギヤ９２を被せ、さらにクラッチホルダー８８を被せた後、抜け止めシャフト１４４をクラッチ軸９４の軸穴９６内に押し込むと、抜け止めシャフト１４４の引掛段部１４５が軸穴９６のシャフト固定爪９７と係合し、抜け止めがなされ、これらの部品が組み立てられる。
【００３６】
クラッチホルダー８８のピニオン９９を囲む周囲には半円筒状のピニオンカバー部１４６が設けられ、開放側にはトリガーラック１９０が位置し、トリガーラック１９０と干渉しないようになっている。その下端には外周に広がるクラッチ摩擦部１４７が形成され、その下面のクラッチ摩擦面は前記駆動ギア９２のギア摩擦面１４２と当接し、クラッチスプリング１４１の反発力により駆動ギア９２とクラッチホルダー８８は軸方向に接近する力が付与されており、その力によりギア摩擦面１４２とクラッチ摩擦部１４７の下面とは圧接して、相互の摩擦力により摩擦クラッチを構成している。クラッチホルダー８８の上部には、前記トリガーラックの第１突起１９２に近接して位置しているラック引込爪８９を突設しており、その反対側のピニオンカバー部１４６には、その周囲に設けた図示されない２個の回転規制用のストッパ１１９，１１９間で回転を規制される回転規制レバー１４７を設けている。
【００３７】
また、図７に示されるように、ローディングモータ１９４によって回転するウオームギア１９５により、第１歯車体１６２に設けた第１ギア１９６を回転して第１歯車体１６２を駆動し、また、第１歯車体１６２に設けた第２ギア１９７により第２歯車体１６３に設けた第３ギア１９８を回転して第２歯車体１６３を駆動し、第２歯車体１６３に設けた第４ギヤ１９９により上記駆動ギア９２が駆動されるようになっている。したがって、ローディングモータ１９４の回転は上記ギア列を介して駆動ギア９２に伝達され、ローディングモータ１９４の駆動時には前記クラッチ装置８７によってクラッチホルダー８８に対してローディングモータ１９４の回転方向に応じた回転力を付与する。
【００３８】
上記機構により、前記ディスクエンド検知レバー１５０によって８ｃｍＣＤと１２ｃｍＣＤが検知され、それに応じたディスクエンド検知レバー１５０の作動が行われるとき、トリガーレバー１７２はその作動により操作され、スライダーロッド６７等がアームクランプの回動機構等、各種の機構の連動作動を行う。リンクレバー１６５にはスプリング係止部１７３を備え、アームプレート１００に設けたスプリング係止部１７４との間にリターンスプリング１７５を張設しており、それによりリンクレバー１６５を常時アームクランプ４の側部に設けたストッパ１７６に当接する方向に付勢している。
【００３９】
上記のように構成されたディスクプレーヤーにおいて、８ｃｍＣＤと１２ｃｍＣＤとを使用する際の作動を説明する。この作動の説明に際して、説明の便宜のため主要構成部品のみを抽出し、これらの部品の関連作動を示した、図９乃至図１３の８ｃｍＣＤ使用作動図、及び図１４乃至図２３の１２ｃｍＣＤ使用作動図に基づいて前記図１乃至図８と関連して説明する。最初図９乃至図１３により８ｃｍＣＤ使用時の作動を説明する。なお、図９は、本発明によるディスクプレーヤーの搬送装置の作動を示す基本構成部品の作動説明図としての、８ｃｍＣＤの挿入開始の状態を示す要部平面図であり、図１０は、同８ｃｍＣＤを挿入している途中において、第１ディスク検知レバー２８と第２ディスク検知レバー２９が最も開いている状態を示す要部平面図であり、図１１は、同８ｃｍＣＤを挿入している途中において、ディスクがディスクエンド検知レバー１５０のディスク検知ピン１５２に当接した状態を示す要部平面図であり、図１２は、同８ｃｍＣＤ挿入終了直後の状態を示す要部平面図であり、図１３は、同８ｃｍＣＤ挿入終了後、ディスクエンド検知レバー１５０が待避位置となった状態を示す要部平面図である。
【００４０】
最初、８ｃｍＣＤのディスクを挿入していない初期状態は図９に示している。この初期状態においては、第１ディスク検知レバー２８は第１レバースプリング８１により、また、第２ディスク検知レバー２９は第２レバースプリング８３により各々付勢され、第１検知ロッド３０及び第２検知ロッド３１が図２のカバー裏板２１の曲縁部１９の内側端部に当接することにより、また、両レバー２８，２９がレバーリンク７０で連結されてその位置が保持されている。また、この初期状態において、アームクランプ４側に設けたロックスライダー１２５はロックスライダースプリング１３７によって付勢され、前記のようにロックスライダー１２５に設けた長孔とボス、及びアームクランプ４側に設けたボスと長孔の相互の嵌合により左右方向に移動可能とされているとともに、長孔の端部にボスが当接することにより図９の初期位置に位置決めされている。この時、切換スライダー１１０は最も前方（図９においてＣＤが挿入される方向である下方、以下同様）に位置し、切換スライダー１１０の内側ガイドボス１１８，１１８は切換スライダー１１０のロック部１３１，１３１内にあり、ロック部１３１の先端部１３２により後方への移動が阻止され、ロック状態を保持している。
【００４１】
更に、この初期状態において、前記のように切換スライダー１１０が前方に移動しているので、切換スライダー１１０のボス１１１がレバーリターン１０２に設けた長穴１１２に嵌合していることにより、レバーリターン１０２はその長穴１１２を形成したスライダー付勢レバー部１０８が前方に最も倒れた状態に保持されている。この時、レバーリターン１０２のスプリング受け部１０５に掛けられた反転スプリング１０６は、支持端９１がアームクランプの通孔１０７に挿入されている部分を中心に自由に回転できるのであるが、反転スプリング１０６は作用端９０と支持端９１とが常に離れる方向に作用しているため、図９に示すように、レバーリターン１０２を反時計方向に付勢している。それにより切換スライダー１１０は、反転スプリング１０６の力によって前方、即ち図９中下方に付勢されている。
【００４２】
ディスクエンド検知レバー１５０は、切換スライダー１１０が前方に位置しているためスライダーボス１５２は第１カム溝１５４の先端部１６７に位置し、駆動ピン１６０はリターンスプリング１７５の付勢力よりトリガーレバー１７２を前方に付勢するスプリング１８４の付勢力の方が大きいので、図中反時計方向に付勢されていることにより図中後方に付勢され、その結果レバーボス１６８は、第２ガイド溝１７９の先端のガイド溝接続部１７８に位置している。それによりディスクエンド検知レバー１５０は、図９に示すように最も時計方向に回転した状態となっている。この時、ディスクエンド検知レバー１５０のディスク検知ピン１５３は、切換スライダー１１０の中心位置にあり、切換スライダー１１０のストッパピン１２３，１２３の中間位置となっている。
【００４３】
上記初期状態から、８ｃｍＣＤのローディングに際して、８ｃｍＣＤであるＣＤ１をディスクプレーヤーの入口３００の中央から使用者が挿入すると、最初、図９に示すように第１検知ロッド３０と第２検知ロッド３１に当接する。この時使用者がＣＤ１をディスクプレーヤーに挿入する力により、ＣＤ１は第１検知ロッド３０と第２検知ロッド３１を各々第１レバースプリング８１と第２レバースプリング８３の力に抗して押し広げつつ内部に挿入される。その後、ＣＤ１が挿入されると、第１検知ロッド３０と第２検知ロッド３１がＣＤ１の直径部分に当たるとき最も押し広げられ、図１０に示す状態となる。
【００４４】
更にＣＤ１がローディングされると、ＣＤ１のディスクの端縁は、切換スライダー１１０のストッパーピン１２３，１２３に当接する前に、ディスクエンド検知レバー１５０のディスク検知ピン１５３に当接し、図１１に示すようにディスク検知ピン１５３を押す。この時、ロックスライダー１２５は移動していないので、ロック部１３１が切換スライダー１１０の内側ガイドボス１１８を保持し、ロックしており、切換スライダー１１０は固定されているので、ディスクエンド検知レバー１５０のカム溝に嵌合しているスライダーボス１５２は固定されている。そのため、前記のようにＣＤ１によってディスク検知ピン１５３が押されることにより、ディスクエンド検知レバー１５０はスライダーボス１５２を中心に図中矢印で示すように回転する。この時ディスクエンド検知レバー１５０に設けたレバーボス１６８は、アームクランプ４のレバーボスガイド溝１７０における第１ガイド溝１７７の中央部まで移動する。
【００４５】
また、上記ディスクエンド検知レバー１５０の回転により、ディスクエンド検知レバー１５０の駆動ピン１６０は、リンクレバー１６５を図中時計方向に回転する。それにより、リンクレバー１６５のトリガーレバー作動部１７１は、これに当接しているトリガーレバー１７２を図中後方に移動する。なお、トリガーレバー１７２の移動によるトリガーラック１９０の作動等は後述する。
【００４６】
トリガーレバー１７２の移動は、図４に示されているトリガー回転子１８１の回転となり、それによりロックレバー５９が図４中上方に移動してトリガーラック１９０の第２突起１９３の保持を解除する。この解除の前にローディングモータ１９４が回転していると、前記のような駆動力の伝達系統により、クラッチホルダー８８が回転力を付与されているので、クラッチホルダー８８のラック引込爪８９がラックの第１突起１９２を前方（図７中下方）に付勢する。この時トリガーラック１９０の第２突起１９３の保持が前記のように解除されると、トリガーラック１９０はスライダーロード６７の固定状態のままトリガーラック１９０を移動し、トリガーラック１９０の先端部はピニオン９９に噛み合い、ピニオン９９はローディングモータ１９４の強い力によりトリガーラック１９０を前方に移動する。トリガーラック１９０はスライドロード６７との間でスライド自在であり、そのスライド範囲を超えるとスライドロード６７自体もトリガーラック１９０と共に移動を開始する。このスライドロード６７の移動は、アームクランプ４の移動等、各種の機構の連動を行う。スライドロード６７の移動により、突起１６９がトリガー回転子１８１を図４中、時計方向に回転する。この時、ディスクエンド検知レバー１５０は図１２に示す状態、すなわち、ＣＤ１の位置決めを検知した状態からさらに反時計方向に回転させられ、ディスク検知ピン１５３はディスクの縁から離れて退避し、ディスクの回転を妨げないようになる。また、リンクレバー１６５はリターンスプリング１７５によって図７中時計方向に回転するが、ストッパ１７６に当たって停止しているので、図１３に示すように、トリガーレバー１７２から離れた状態となっている。
【００４７】
上記作動において、トリガーラック１９０はその後端部がピニオン９９との噛み合いが通過したときにその移動は停止し、スライダーロード６７も一連の連動動作を行った後停止する。この状態は図８に示され、以降イジェクト作動までこの状態で待機する。この時、トリガーラック１９０の第２突起１９３とクラッチホルダー８８のラック引込爪８９とが近接して停止している。上記トリガーラック１９０の移動とこのトリガーラック１９０と噛み合うピニオン９９のとの干渉をさけるように、半円筒状のクラッチホルダー８８の側部の開口が設定されている。なお、上記トリガーレバー１７２移動後の作動は、８ｃｍＣＤと１２ｃｍＣＤの両方の作動において共通に行われる。
【００４８】
８ｃｍＣＤの挿入時についての上記の説明は、８ｃｍＣＤがディスクプレーヤの入口５９のほぼ中央から挿入された場合について説明したが、その入口は１２ｃｍＣＤも挿入できるように大きく作られており、ディスクプレーヤの使用に際して、使用者はその入口５９の中央から挿入するとは限らず、入口の側部から奥に押し込むことも多い。その際は、第１ディスク検知レバー２８の第１検知ロッド３０，あるいは第２ディスク検知レバー２９の第２検知ロッド３１のいずれかが押されることとなる。しかしながら、両検知レバーはレバーリンク７０で連結されているので、いずれにしても同じ状態で回動することとなる。この時、第１ディスク検知レバー２８の大きな回動により、その先端の押圧部５６がロックスライダー１２５の押圧フランジ部１２６を押してロックスライダー１２５を図９において右方向に移動させ、ロック部１３１、１３１が切換スライダー１１０の内側ガイドボス１１８，１１８の保持状態を一時解除する。しかしながら、８ｃｍＣＤをいかに入口５９の中央位置から外して側方から押し込んでも、そのディスクの挿入先端縁がロックスライダー１２５のストッパピン１２３，１２３に当接する前に、第１検知ロッド３０及び第２検知ロッド３１がディスクの挿入後端縁に沿って戻るため、ロックスライダー１２５はロックスライダースプリング１３７の張力により元に戻り、ロック部１３１，１３１が前記内側ガイドボス１１８，１１８の保持を行うので、ディスクはストッパピン１２３，１２３に当接して、それ以上ローディングされることはない。このようにして、８ｃｍＣＤを入口５９のいかなる位置から挿入しても、自動的に所定の位置にローディングすることができ、また、入口５９の側方から挿入された８ｃｍＣＤは、第１検知ロッド３０，及び第２検知ロッド３１により中心位置に自動的にガイドされる。
以上
【００４９】
上記のようにしてローディングされた８ｃｍＣＤであるＣＤ１をイジェクトする時には、上記ローディング時の作動と逆に作動する。即ちＣＤのイジェクト信号が入ると、ディスクモータ駆動時にはこれを停止し、アームクランプを回動してクランプディスク８６によるディスクのクランプを解除し、ディスクの入口下方に設けた図示されない搬送ローラのイジェクト方向の回転により、ディスクは入口３００から排出される。この時、搬送ローラのイジェクト力により、初期状態となっている第１ディスク検知レバー２８の第１検知ロッド３０と、第２ディスク検知レバー２９の第２検知ロッド３１とを、第１レバースプリング８１と第２レバースプリング８３の力に抗して、これを押し広げて排出される。
【００５０】
上記ＣＤのイジェクト時においては、図１３に示す状態から信号が入ると、ローディングモータ１９４は前記とは逆方向に回転し、駆動ギア９２は図中時計方向に回転するので、駆動ギア９２と摩擦クラッチを介して回転されるクラッチホルダー８８は駆動ギア９２と同方向に回転し、ラック引込爪８９がトリガーラック１９０の第２突起１９３を後方に押し、トリガーラック１９０の後端部を引き込む。この時はスライダーロッド６７は移動せず、トリガーラック１９０の自由移動範囲で行われる。ピニオン９９によるトリガーラック１９０の移動により、スライダーロッド６７が移動を開始し、これと連動するアームクランプ４の開放等、一連のイジェクト用連動動作を行う。
【００５１】
ディスクプレーヤーの各種作動を連動させるスライダーロッド６７の移動により、スライダーロッド６７に設けた突起１６９が戻るので、トリガー回転子１８１はリターンスプリング１８４によって追従して戻り、リンクレバー１６５をそのリターンスプリング１７５に抗して図中反時計方向に回転させるので、ディスクエンド検知レバー１５０を、固定されているスライダーボス１５２を中心に時計方向に回転する。そのため、ＣＤ１の排出と共にディスクエンド検知レバー１５０及びこれと係合しているレバーリターン１０２を初期状態に戻すことができる。ＣＤ１の排出過程における第１ディスク検知レバー２８，第２ディスク検知レバー２９の作動は、前記ＣＤ１の挿入時と全く逆に作動し、図１２，図１１，図１０、図９の各状態を経過して排出される。
【００５２】
一方、このディスクプレーヤに１２ｃｍＣＤを使用する際には、図１４乃至図２１のように作動する。なお、図１４は、本発明によるディスクプレーヤーの搬送装置の作動を示す基本構成部品の作動説明図として、１２ｃｍＣＤの挿入開始の状態を示す要部平面図であり、図１５は、同１２ｃｍＣＤを挿入している途中において、第１ディスク検知アームと第２ディスク検知アームが最も開いている状態を示す要部平面図であり、図１６は、同１２ｃｍＣＤを挿入している途中において、初期状態の切換スライダーのストッパピンにディスクが当接している状態を示す要部平面図であり、図１７は、同１２ｃｍＣＤを挿入している途中において、ディスクエンド検知レバーが駆動ピンを中心に回転している状態を示す要部平面図であり、図１８は、同１２ｃｍＣＤを挿入している途中において、ディスクエンド検知レバーのレバーボスがガイド溝の端部に到達した状態を示す要部平面図であり、図１９は、同１２ｃｍＣＤを挿入している途中において、ディスクエンド検知レバーがレバーボスを中心に回転している状態を示す要部平面図であり、図２０は、同１２ｃｍＣＤを完全に挿入した瞬間を示す要部平面図であり、図２１は、同１２ｃｍＣＤ挿入終了後、ディスクエンド検知レバーが待避位置となった状態を示す要部平面図である。
【００５３】
最初の初期状態は左記の図９に示す状態と同じであり、ここから図１４に示すように大径の１２ｃｍＣＤであるＣＤ２の挿入が開始される。その後ＣＤ２を使用者が押し込むと、第１検知ロッド３０と第２検知ロッド３１が押し広げられ、第１ディスク検知レバー２８と第２ディスク検知レバー２９が回転する。それに伴って第１ディスク検知レバー２８の押圧部５６が次第にロックスライダー１２５の押圧フランジ部１２６に近づき、その後両者が当接する。前記押圧部５６が押圧フランジ部１２６に当接した後は、ＣＤ２を押し込む力により押圧部５６が押圧フランジ１２６をロックスライダースプリング１３７に抗して押し込み、図中右方向に移動させる。それによりロック部１３１，１３１も図中右方向に移動するため、ロック部１３１，１３１内に位置していた内側ガイドボス１１８はロック状態をはずれる。しかしながら、前記のように、レバーリターン１０２が反転スプリング１０６によって付勢されているため、その力によって切換スライダー１１０は図示位置を保持している。
【００５４】
その後更にＣＤ２がローディングされると、図１５に示すように、ＣＤ２の直径部分が第１検知ロッド３０と第２検知ロッド３１の間に位置し、第１ディスク検知レバー２８と第２ディスクレバー２９の最大揺動位置となる。この時、ロックスライダー１２５も最も押し込まれた位置となるが、その端部に設けた押圧突起１３８は、レバーリターン１０２の押圧部１１４に当接する迄には至らない。更にＣＤ２がローディングされると、第１ディスク検知レバー２８と第２ディスク検知レバー２９は、第１検知ロッド３０と第２検知ロッド３１がこの間を通るＣＤ２の長さが減少するのに追従して移動し、両ロッドの間隔が減少していく。また、第１ディスク検知レバー２８の上記回転により、押圧部５６が図中左方向に移動するので、ロックスライダースプリング１３７に付勢されているロックスライダー１２５も追従して図中左方向に移動する。したがって、ロックスライダー１２５に設けたロック部１３１、１３１も、切換スライダー１１０の内側ガイドボス１１８，１１８に近づく。
【００５５】
更にＣＤ２がローディングされると、図１６に示すようにＣＤ２の挿入側の端部が、切換スライダー１１０のストッパピン１２３、１２３に当接する。これ以降ＣＤ２が挿入されると、ＣＤ２によりストッパピン１２３，１２３が押圧され、それにより切換スライダー１１０が後方への移動を開始する。切換スライダー１１０の移動により、内側ガイドボス１１８、１１８が後方に移動するが、この時同時にロックスライダー１２５のロック部１３１が更に内側ガイドボス１１８に近接する。しかしながら、図１７に示すように、内側ガイドボス１１８、１１８が、ロック部１３１、１３１の先端部１３２，１３２を越えた後に、ロック部１３１、１３１が元のロック位置に戻るため、ロック部１３１、１３１によって内側ガイドボス１１８、１１８がロックされることはない。
【００５６】
上記切換スライダー１１０の後方への移動により、切換スライダー１１０に設けたスライダーボス１５２が後方に移動するので、ディスクエンド検知レバー１５０のカム溝１５１の縁が押され、ディスクエンド検知レバー１５０が回転を始める。この時、ディスクエンド検知レバー１５０のレバーボス１６８は、レバーボスガイド溝１７０におけるガイド溝接続部１７８に存在するので、レバーボス１６８はガイド溝接続部１７８から延びる駆動ピン１６０を中心とする円弧状の第２ガイド溝１７９に沿って移動できる状態にあり、結局ディスクエンド検知レバー１５０は、端部がトリガーレバー１７２で押さえられたリンクレバー１６５に支持されている駆動ピン１６０を中心に回転することとなる。したがって、リンクレバー１６５は回転することなく、トリガーレバー１７２も移動することはない。
【００５７】
上記の過程において、レバーリターン１０２も切換スライダー１１０のスライダーボス１１１の移動に伴って、図１７中時計方向に回転する。この時、未だ反転スプリング１０６の作用端９０の軸線とレバーリターン１０２のスプリング受けレバー部１０４の軸線とのなす角が鈍角のため、前記初期状態と同様に、反転スプリングの作用端９０は、スプリング受けレバー部１０４を付勢し、それにより、レバーリターンのスライダー付勢レバー部１０８は、切換スライダー１１０を前方に戻すように付勢している。
【００５８】
更にＣＤ２がローディングされると、切換スライダー１１０の移動によりレバーリターン１０２も回転し、図１８に示すように、反転スプリング１０６の作用端９０の軸線とレバーリターン１０２のスプリング受けレバー部１０４の軸線のなす角が直角となり、反転スプリング１０６がレバーリターン１０２に作用する力は中立位置、即ち死点となる。但しこの状態においても図中矢印で示すようにディスクのローディングは続いており、各部材の移動は継続している。
【００５９】
この時とほぼ同時に、図１８に示すように、ディスクエンド検知レバー１５０のレバーボス１６８はレバーボスガイド溝１７０における第２ガイド溝１７９の後端部に到達する。その結果、ディスクエンド検知レバー１５０は、切換スライダー１１０の後退に応じて移動するスライダーボス１５２によって、カム溝１５１の縁に作用する回転力は、前記の駆動ピン１６０を中心としたものから、レバーボス１６８を中心としたものとなる。それにより、図１８に示すように、ディスクエンド検知レバー１５０は、レバーボス１６８を中心に図中矢印で示すように反時計方向に回転する。この時のスライダーボス１５２は、第１カム溝１５４よりも傾斜した第２カム溝１５５内を移動すること、及びディスクエンド検知レバー１５０の回転中心が、駆動ピン１６０からスライダーボス１５２となり、回転半径が小さくなることと相まって、ディスクの挿入に対応して移動する切換スライダー１１０の移動量に対する、ディスクエンド検知レバー１５０の回転量は、先の第１カム溝中にスライダーボス１５２が存在していたときよりも大きなものとなり、したがってディスクエンド検知レバー１５０の回転速度は速くなる。このとき、反転スプリング１０６の作用端９０の軸線とレバーリターン１０２のスプリング受けレバー部１０４の軸線のなす角が鋭角となるため、反転スプリング１０６の作用端９０はレバーリターン１０２に対して逆方向の付勢力を発生、即ち反転作用をなし、レバーリターン１０２のスライダー付勢レバー部１０８は、切換スライダー１１０を後方に付勢する。この過程は図１９に示されている。
【００６０】
このディスクエンド検知レバー１５０のレバーボス１６８を中心とした回転により、駆動ピン１６５もレバーボス１６８を中心に回転し、それによりリンクレバー１６０は、二股状のピン保持部１６６を押してリンクレバー１６５を時計方向に回転させる。この回転によりリンクレバー１６５のトリガ−レバー作動部１７１は、トリガーレバー１７２の移動を開始する。トリガーレバー１７２の移動によるトリガーラック１９０をはじめとする以降の作動は、前記８ｃｍＣＤのローディング時と同様であるので、ここでの説明は省略する。
【００６１】
上記作動により切換スライダー１１０は、レバーリターン１０２の後方端への付勢力により、図２１に示すように最も後方に移動して停止し、ストッパーピン１２３，１２３はディスクＣＤ２の縁と接触せず退避位置となる。この時レバーリターン１０２の押圧部１１４は、ロックスライダー１２５の端部の押圧突起１３８とほぼ当接する位置で停止する。また、この時、ＣＤ２はターンテーブル等を備えたドライブユニット（図示せず）上に設けられた位置決めボス１ａ，１ａによって演奏可能な位置に位置決めされ、また、第１検出ロッド３０と第２検出ロッド３１はその初期位置に戻って停止し、且つ各ロッド３０，３１はＣＤ２と接触しなくなる。
【００６２】
また、上記トリガーレバー１７２の作動により、スライダーロード６７が移動し、その突起１６９がトリガー回転子１８１を回転させ、トリガーレバー１７２は更に後方へ移動する。そのため、リンクレバー１６５は自由状態となり、リターンスプリング１７５によって、トリガーレバー作動部がアームクランプ４の側部に設けたストッパ１７６に当接するまで回転し、ここで止まる。そのため、ディスクエンド検知レバー１５０は、付勢されない状態となり、切換スライダー１１０がレバーリターン１０２の後方への付勢力により終端まで移動することを妨げない。終端においては、図２１に示すようにディスクエンド検知レバー１５０のディスク検知ピン１５３は、ＣＤ２の縁から離れ、退避位置となる。
【００６３】
上記のようにしてローディングされた１２ｃｍＣＤのＣＤ２をイジェクトする際には、ディスクのイジェクト信号が入ると、ディスクモータ駆動時にはモータを停止し、アームクランプ４を回動してクランプディスク８６によるディスクのクランプを解除し、その後、ディスクの入口下方に設けた図示されない搬送ローラのイジェクト方向の回転によりディスクは入口３００方向に移動する。この時、ディスクの各種作動を連動させるスライダーロード６７の移動により、トリガーレバー１７２を備えたトリガー回転子１８１はリターンスプリング１８４によって追従して回転し、それによりトリガーレバーは逆方向に移動し、リンクレバー１６５に当接して停止する。
【００６４】
この時のディスクの移動は、図２１に示す状態から図２２に示す状態に移行する。即ち、ＣＤ２は第１ディスク検知レバー２８の第１検知ロッド３０と第２ディスク検知レバー２９の第２検知ロッド３１とを、第１レバースプリング８１と第２レバースプリング８３に抗して押圧し、両ロッドを押し広げる。その際、第１ディスク検知レバー２８の押圧部５６が、ロックスライダー１２５の押圧フランジ部１２６を押圧するまでは、ロックスライダー１２５は何ら移動しない。その後、第１ディスク検知レバー２８の押圧部５６がロックスライダー１２５の押圧フランジ部１２６を押し、ロックスライダー１２５を図中右方向に移動させる。この時、図２２の矢印で示すように、ロックスライダー１２５の押圧突起１３８が、レバーリターン１０２の押圧部１１４とほぼ接触状態にあるので、直ちにレバーリターン１０２を、回転支持部１０１を中心に回転させる。
【００６５】
上記のように、ディスクの排出力によって第１ディスク検知レバー２８が移動し、その力でロックスライダー１２５が移動し、その結果、レバーリターン１０２が回転して、スライダー付勢レバー部１０８を前方に移動し、長穴１１２が切換スライダー１１０のボス１１１を前方に移動させようとする。この時レバーリターン１０２は、反転スプリング１０６によって切換スライダー１１０を後方に付勢する力を受けているが、搬送ローラによりＣＤ２を排出する力が強いので、前記反転スプリング１０６の力に抗して切換スライダー１１０は前方へ移動する。このような移動は、反転スプリング１０６の作用端９０の軸線とレバーリターン１０２のスプリング受けレバー部１０４の軸線のなす角が直角となり、反転スプリング１０６がレバーリターンに作用する力が中立位置、即ち死点となる位置まで行われる。したがって、ディスクのイジェクト時の初期段階では図２２に示すように、ローラによって排出されるディスクと切換スライダー１１０のストッパピン１２３とは当接しておらず、前記ディスクのローディング時における図１６乃至図２０に示す状態とはこの点で異なっている。
【００６６】
反転スプリング１０６がレバーリターン１０２に作用する力が中立位置になった状態から、更にＣＤ２がイジェクトされると、瞬間的に反転スプリング１０６の作用の中立位置を越えるので、反転スプリング１０６の作用端９０の軸線とレバーリターン１０２のスプリング受けレバー部１０４の軸線とのなす角が鈍角となり、反転スプリングの作用端９０は、スプリング受けレバー部１０４を図２３の矢印に示す方向に付勢し、それにより、レバーリターン１０２のスライダー付勢レバー部１０８は、切換スライダー１１０を初期位置に戻す力を与える。しかしながら、図２３に示すように、この時は既にディスクの縁が切換スライダー１１０のストッパピン１２３，１２３に当接しない位置となっているので、ディスクは切換スライダー１１０が戻る力を全く受けることが無く、安定した作動でイジエクトすることができる。このようにして、切換スライダー１１０はディスク挿入前の初期位置に復帰する。
【００６７】
その後、使用者が入口３００から先端が出ているディスクを取り出すと、第１検知ロッド３０及び第２検知ロッド３１がディスクから離れることにより、ロックスライダー１２５が図中左端に移動し、そのロック部１３１，１３１により切換スライダー１１０の内側ガイドボス１１８，１１８を保持し、切換スライダー１１０をロックする。それにより、各機構は全て初期位置に戻る。
【００６８】
なお、本発明の実施例は上記のように構成したが、本発明の上記課題を解決するための特許請求の範囲に記載された構成の範囲において、種々の実施の態様が存在することは当然であり、本発明は上記実施例に限られるものではない。
【００６９】
【発明の効果】
請求項１に係る発明においては、特に、ディスクエンド検知レバーは、前記切換スライダーのロック時には前記第１の係合部を中心に回転して前記トリガーレバーを作動し、切換スライダーのロック解除時には前記第１の係合部が前記カム溝に沿って移動すると共に前記第２の係合部が前記ガイド溝に沿って移動した後、前記第２の係合部を中心に回転して前記トリガーレバーを作動さするようにディスクプレーヤーのディスク搬送装置を構成したので、８ｃｍＣＤと１２ｃｍＣＤを使用できるディスクプレーヤーにおいて、ディスクエンドを確実に検知することができる。また、検知する装置をディスクプレーヤー内に均等にバランス良く配置することができ、全体を薄く構成することができるとともに、構造を簡素化することにより軽量で組立が容易で、メンテナンスを容易に行うことができる。
【００７０】
また、請求項２に係る発明においては、前記ロックスライダーと、前記切換スライダーと、前記ディスクエンド検知レバーとをディスクを押さえるクランパを支持して回動するアームクランプに設けたので全体をコンパクトに納めることができると共に、アームクランプの取り外しによりこれらの部品を一体的に取り外すことができ、メンテナンスを容易に行うことができる。また請求項３に係る発明においては、更に、切換スライダーが大径ディスクの押圧力で移動した後、その切換スライダーを移動前の状態に戻すレバーリターンも前記アームクランプに設けたものであり、これらの部品を全てコンパクトに納めることができると共に、アームクランプの取り外しによりこれらの部品を全て一体的に取り外すことができ、メンテナンスを更に容易に行うことができる。また、請求項４に係る発明においては、前記ディスクエンド検知レバーと前記レバーリターンとを前記アームクランプの両側部に対向して配置したものであり、部品をバランス良く配置することができる。請求項５に係る発明においては、前記トリガーレバー作動端と前記カム溝端部との間に前記第２の係合部を配置したものであり、ディスクエンド検知レバーのトリガーレバー作動端を中心とした回動から、レバーボスを中心とした回動に移る作動を確実に行うことができる。
【００７１】
請求項６に係る発明においては、前記カム溝は、前記ディスクエンド検知レバーの軸線方向に延びる第１カム溝と、第１カム溝に続き該軸線方向から傾斜した方向に延びる第２カム溝とからなるので、ディスクエンド検知レバーに対するスライダーボスの連動を適切なものに設定することができる。請求項７に係る発明においては、前記ガイド溝は、前記カム溝端部を中心とする円弧状の第１ガイド溝と、第１ガイド溝に続きリンクレバー作動端を中心とする円弧状の第２ガイド溝とからなるので、ディスクエンド検知レバーの回動を安定して行わせその作動を確実なものとすることができる。請求項８に係る発明においては、ディスクの最終挿入時に、リンクレバーとトリガーレバーとを離し、ディスクエンド検知レバーのディスク検知ピンをディスクの縁から退避させたので、ディスク検知ピンによるディスク作動への悪影響をなくすことができる。
【００７２】
請求項９に係る発明においては、トリガーレバーの移動によりクラッチを介して付勢されているラックのラックのロック部への保持を解除したので、ラックのロック解除の構成が簡素化される。請求項１０に係る発明においては、ラックのロック部を、トリガーレバーを備えたトリガー回転子に設けたので、トリガー回転子のみによりこれらを連動させる留ことができ、この部分の構成を簡素化できる。請求項１１に係る発明においては、クラッチは、ピニオンを備えモータで駆動される駆動ギアと、ピニオンカバーと、両者を摩擦圧接するスプリングとにより構成したので、従来の遊星ギヤと板ばねを用いたものと比べ、小型のものとすることができるとともに荷重のばらつきが少なくなり、バネのへたりもなくなる。請求項１２に係る発明においては、ピニオンカバーには、ラックの両端に設けた突起に係合するラック引込爪を設けたので、クラッチによるラック駆動機構が簡素化される。請求項１３記載の発明においては、スプリングは、ピニオン内部のスプリング収納部に設けたので、クラッチ機構が小型のものとなる。
【００７３】
請求項１４に係る発明においては、駆動ギアと、ピニオンカバーと、スプリングとを、ベースから突出したクラッチ軸に嵌合したので、構成を簡素化できるとともに、組立が容易となる。請求項１５に係る発明においては、駆動ギアと、ピニオンカバーと、スプリングとを、ベースから突出したクラッチ軸に嵌合し、クラッチ軸の軸穴に抜け止めシャフトを挿入することにより固定したので、その組立がきわめて容易に行われる。請求項１６に係る発明においては、ラックは内部機構連動用のロックレバーに摺動自在に固定したので、クラッチとラックを用いてロックレバーを容易に作動することができる等の効果を奏する。
【図面の簡単な説明】
【図１】  本発明によるディスクプレーヤーの実施例の組立斜視図である。
【図２】同実施例のトップシャーシを取り外し、更にカバー裏板を外して裏返した状態を示す斜視図である。
【図３】同アームクランプを取り外し、裏返した状態を示す斜視図である。
【図４】同トリガーレバーによるクラッチを介したスライダーロードの駆動機構の要部を示す斜視図である
【図５】同クラッチとラック部分の平面図である。
【図６】同クラッチの断面図である。
【図７】同トリガーレバーによるクラッチを介したスライダーロードの駆動機構のローディング直前の状態を示す平面図である。
【図８】同トリガーレバーによるクラッチを介したスライダーロードの駆動機構のイジェクト時直前の状態の要部を示す平面図である。
【図９】本発明によるディスクプレーヤーの搬送装置の作動を示す、基本構成部品の作動説明図としての、８ｃｍＣＤの挿入の開始、または排出の終了の状態を示す要部平面図である。
【図１０】同８ｃｍＣＤを挿入している途中において、第１ディスク検知アームと第２ディスク検知アームが最も開いている状態を示す要部平面図である。
【図１１】同８ｃｍＣＤを挿入している途中において、ディスクがディスクエンド検知レバーのディスク検知ピンに当接した状態を示す要部平面図である。
【図１２】同８ｃｍＣＤ挿入終了直後の状態を示す要部平面図である。
【図１３】同８ｃｍＣＤ挿入終了後、ディスクエンド検知レバーが待避位置となった状態を示す要部平面図である。
【図１４】本発明によるディスクプレーヤーの搬送装置の作動を示す基本構成部品の作動説明図として、１２ｃｍＣＤの挿入を開始、または排出の終了の状態を示す要部平面図である。
【図１５】同１２ｃｍＣＤを挿入している途中において、第１ディスク検知アームと第２ディスク検知アームが最も開いている状態を示す要部平面図である。
【図１６】同１２ｃｍＣＤを挿入している途中において、初期状態の切換スライダーのストッパピンにディスクが当接している状態を示す要部平面図である。
【図１７】同１２ｃｍＣＤを挿入している途中において、ディスクエンド検知レバーが駆動ピンを中心に回転している状態を示す要部平面図である。
【図１８】同１２ｃｍＣＤを挿入している途中において、ディスクエンド検知レバーのレバーボスがガイド溝の端部に到達した状態を示す要部平面図である。
【図１９】同１２ｃｍＣＤを挿入している途中において、ディスクエンド検知レバーがレバーボスを中心に回転している状態を示す要部平面図である。
【図２０】同１２ｃｍＣＤを完全に挿入した瞬間を示す要部平面図である。
【図２１】同１２ｃｍＣＤ挿入終了後、ディスクエンド検知レバーが待避位置となった状態を示す要部平面図である。
【図２２】同１２ｃｍＣＤの排出時の初期状態を示す要部平面図である。
【図２３】同１２ｃｍＣＤの排出している途中において、レバーリターンを付勢する反転スプリングが中立状態を越えて、切換スライダーを初期位置に戻した状態を示す要部平面図である。
【図２４】従来のディスクプレーヤーの搬送装置の一例を示す要部平面図である。
【符号の説明】
１  ベースシャーシ
２  トップシャーシ
４  アームクランプ
２１  カバー裏板
２８  第１ディスク検知レバー
２９  第２ディスク検知レバー
３０  第１検知ロッド
３１  第２検知ロッド
３９  搬送ローラ受け溝
５６  押圧部
５９  ロックレバー
６７  スライダーロード
７０  レバーリンク
８１  第１レバースプリング
８３  第２レバースプリング
８６  クランプディスク
８７  クラッチ装置
８８  クラッチホルダー
９２  駆動ギア
９４  クラッチ軸
９９  ピニオン
１００  アームプレート部
１０２  レバーリターン
１０６  反転スプリング
１０８  スライダー付勢レバー部
１１０  切換スライダー
１１４  押圧部
１１８  内側ガイドボス
１２０  内側ガイド孔
１２３  ストッパピン
１２５  ロックスライダー
１２６  押圧フランジ部
１３１  ロック部
１３７  ロックスライダースプリング
１３８  押圧突起
１４１  クラッチスプリング
１４４  抜け止めシャフト
１５０  ディスクエンド検知レバー
１５２  ディスク検知ピン
１６５  リンクレバー
１６８  レバーボス
１７２  トリガーレバー
１８２  トリガー回転子
１９４  ローディングモータ
１９０  トリガーラック
【図１】
0003820321.tif 000002
【図２】
0003820321.tif 000003
【図３】
0003820321.tif 000004
【図４】
0003820321.tif 000005
【図５】
0003820321.tif 000006
【図６】
0003820321.tif 000007
【図７】
0003820321.tif 000008
【図８】
0003820321.tif 000009
【図９】
0003820321.tif 000010
【図１０】
0003820321.tif 000011
【図１１】
0003820321.tif 000012
【図１２】
0003820321.tif 000013
【図１３】
0003820321.tif 000014
【図１４】
0003820321.tif 000015
【図１５】
0003820321.tif 000016
【図１６】
0003820321.tif 000017
【図１７】
0003820321.tif 000018
【図１８】
0003820321.tif 000019
【図１９】
0003820321.tif 000020
【図２０】
0003820321.tif 000021
【図２１】
0003820321.tif 000022
【図２２】
0003820321.tif 000023
【図２３】
0003820321.tif 000024
【図２４】
0003820321.tif 000025